(57)【特許請求の範囲】
【請求項１】
浴槽表側から浴槽の開口部へ取り付けられる浴槽用取付具であって、浴槽表側に配置される取付具本体と、連結部材と、該取付具本体に該連結部材で連結された状態で浴槽表側から上記開口部を潜り抜けること及び浴槽裏側で止め付けることが可能な止め部材とを備え、該止め部材を止め付けて浴槽の開口部に取付具本体を取付けるために行う該連結部材の操作が浴槽表側からできるようになっており、前記取付具本体から、前記止め部材の回転を規制するための回転規制部材が突設されていることを特徴とする浴槽用取付具。
【請求項２】
浴槽表側から浴槽の開口部に取り付けられる浴槽用循環口セットであって、表側に吐水口及び吸水口を開設すると共に該吐水口及び吸水口に連通する吐水管及び吸水管を裏側へ突設した循環口部材と、該循環口部材の裏側に該吐水管及び吸水管を囲むように形成されている環状座部へ当接する環状シール部材と、該循環口部材の表側で頭部を水密状態に係止できるように循環口部材の表側から環状座部の内側へ貫通する止め付け用ボルトと、該環状座部の内径と同径又は小径となる前記浴槽の開口部を、該ボルトに螺合した状態で潜り抜けることが可能な寸法に形成され且つ前記浴槽の開口部より大径の係止部を設けた止め部材とを備え、前記止め部材が、前記吐水管と吸水管との間隙部に位置する連結部と、該連結部の両側に連設して該間隙部の外側に位置すると共に該間隙部より幅寸法を大きくした前記係止部とを備えていることを特徴とする浴槽用循環口セット。
【請求項３】
浴槽表側から浴槽の開口部に取り付けられる浴槽用循環口セットであって、表側に吐水口及び吸水口を開設すると共に該吐水口及び吸水口に連通する吐水管及び吸水管を裏側へ突設した循環口部材と、該循環口部材の裏側に該吐水管及び吸水管を囲むように形成されている環状座部へ当接する環状シール部材と、該循環口部材の表側で頭部を水密状態に係止できるように循環口部材の表側から環状座部の内側へ貫通する止め付け用ボルトと、該環状座部の内径と同径又は小径となる前記浴槽の開口部を、該ボルトに螺合した状態で潜り抜けることが可能な寸法に形成され且つ前記浴槽の開口部より大径の係止部を設けた止め部材とを備え、前記循環口部材に対する前記ボルトの貫通位置が、前記環状座部の内側の表裏方向へ延びる仮想中心線から偏倚していることを特徴とする浴槽用循環口セット。
【請求項４】
浴槽表側から浴槽の開口部に取り付けられる浴槽用循環口セットであって、表側に吐水口及び吸水口を開設すると共に該吐水口及び吸水口に連通する吐水管及び吸水管を裏側へ突設した循環口部材と、該循環口部材の裏側に該吐水管及び吸水管を囲むように形成されている環状座部へ当接する環状シール部材と、該循環口部材の表側で頭部を水密状態に係止できるように循環口部材の表側から環状座部の内側へ貫通する止め付け用ボルトと、該環状座部の内径と同径又は小径となる前記浴槽の開口部を、該ボルトに螺合した状態で潜り抜けることが可能な寸法に形成され且つ前記浴槽の開口部より大径の係止部を設けた止め部材とを備え、前記止め部材に対する前記ボルトの螺合位置が、前記止め部材の中心から偏倚していることを特徴とする浴槽用循環口セット。
【請求項５】
浴槽表側から浴槽の開口部に取り付けられる浴槽用循環口セットであって、表側に吐水口及び吸水口を開設すると共に該吐水口及び吸水口に連通する吐水管及び吸水管を裏側へ突設した循環口部材と、該循環口部材の裏側に該吐水管及び吸水管を囲むように形成されている環状座部へ当接する環状シール部材と、該循環口部材の表側で頭部を水密状態に係止できるように循環口部材の表側から環状座部の内側へ貫通する止め付け用ボルトと、該環状座部の内径と同径又は小径となる前記浴槽の開口部を、該ボルトに螺合した状態で潜り抜けることが可能な寸法に形成され且つ前記浴槽の開口部より大径の係止部を設けた止め部材とを備え、前記止め部材が、その中央部を前記循環口部材の表側から裏側に向かって突出するように湾曲形成されていることを特徴とする浴槽用循環口セット。
【発明の詳細な説明】
【０００１】
【発明の属する技術分野】
本発明は、浴槽の開口部へ浴槽表側から取付け施工することができる浴槽用の取付具、循環口部材の取付構造及び循環口セットに関するものである。
【０００２】
【従来の技術】
浴槽用の取付具の一例としては、浴槽の追いだきのための循環口を備えたものがある。従来、この循環口を備えた浴槽用取付具を一人で施工できるようにするための、取付作業用治具が開発されている。この治具１は、図１４に示す如く、浴槽用取付具２の配管付の取付具本体３の開口中心部に着脱自在に螺合できると共に、浴槽５の開口部５ａに引っ掛けることができる掛け部１ａを備えている。この治具１を用いた施工は、次のように行われる。作業者は、躯体６の外側で、取付具本体３に治具１を螺着し、躯体６の外側から躯体開口部６ａへ治具１と共に取付具本体３を挿入し、浴槽５の開口部５ａに治具１の掛け部１ａを引っ掛ける。次に、作業者は、浴槽５の内側（浴槽表側）Ａに移動し、治具１を内側Ａに引っ張り出し、取付具本体３に浴槽用取付具２の口部４を螺着し、最後に治具１を取外して浴槽用取付具２の取付けを完了する。漏水防止用のリング状のシール部材７は、口部４を回転させながら螺着するために、取付具本体３の開口鍔部３ａと浴槽５の裏面５ｃとに挟持されるように設けられる。
【０００３】
【発明が解決しようとする課題】
しかし、治具１を用いた従来の施工方法では、躯体６の外側と浴槽５の内側とで作業するため、躯体６の外側と浴槽５の内側とを行き来する必要があり、手間がかかり、また、治具１がないときに施工が不可能であった。更に、従来の施工方法では、取付具本体３の開口鍔部３ａと浴槽５の裏面５ｃとの間に漏水防止用のシール部材７を挟着するため、裏面５ｃが凹凸面である浴槽５では、充分なシールを確保することができないことから、適用できない。
【０００４】
また、浴槽用取付具には、前記以外に、浴槽に湯を噴出するジエットバス用ノズルを備えたもの、排水口を備えたもの、グリップ取付け部を備えたもの、遠隔操作用押しボタンを備えたもの等があり、これらについても、浴槽５の内側から取付けるときには、前記同様に専用の治具を必要とする等の問題があった。
【０００５】
そこで、本発明は、上記問題点を解決するために、浴槽表側から容易に取付け施工することができる浴槽用の取付具、循環口部材の取付構造及び循環口セットの提供をするものである。
【００１０】
【課題を解決するための手段】
止め付けるときに止め部材が回動しないようにするために請求項１記載の本発明が採用した手段は、浴槽表側から浴槽の開口部へ取り付けられる浴槽用取付具であって、浴槽表側に配置される取付具本体と、連結部材と、該取付具本体に該連結部材で連結された状態で浴槽表側から上記開口部を潜り抜けること及び浴槽裏側で止め付けることが可能な止め部材とを備え、該止め部材を止め付けて浴槽の開口部に取付具本体を取付けるために行う該連結部材の操作が浴槽表側からできるようになっており、前記取付具本体から、前記止め部材の回転を規制するための回転規制部材が突設されていることを特徴とする浴槽用取付具である。
本発明にあっては、止め付け用ボルトを浴槽内側より締め付ける際に、回転規制部材により止め部材の回り止めが良好に行われる。
【００１２】
浴槽に対して循環口部材を浴槽表側から容易に取付け施工できるようにするために請求項２記載の本発明が採用した手段は、浴槽表側から浴槽の開口部に取り付けられる浴槽用循環口セットであって、表側に吐水口及び吸水口を開設すると共に該吐水口及び吸水口に連通する吐水管及び吸水管を裏側へ突設した循環口部材と、該循環口部材の裏側に該吐水管及び吸水管を囲むように形成されている環状座部へ当接する環状シール部材と、該循環口部材の表側で頭部を水密状態に係止できるように循環口部材の表側から環状座部の内側へ貫通する止め付け用ボルトと、該環状座部の内径と同径又は小径となる前記浴槽の開口部を、該ボルトに螺合した状態で潜り抜けることが可能な寸法に形成され且つ前記浴槽の開口部より大径の係止部を設けた止め部材とを備え、前記止め部材が、前記吐水管と吸水管との間隙部に位置する連結部と、該連結部の両側に連設して該間隙部の外側に位置すると共に該間隙部より幅寸法を大きくした前記係止部とを備えていることを特徴とする浴槽用循環口セット。
本発明にあっては、循環口部材から突設する配管を浴槽の開口部ヘ挿通させるると共に、止め付け用ボルトに螺合した止め部材を浴槽表側から浴槽の開口部を潜り抜けさせて浴槽裏側に配置させ、この状態で止め付け用ボルトを浴槽内側より締め付けることにより、浴槽の開口部の周縁を循環口部材と止め具で挟みつけて循環口部材を固定させ、浴槽の開口部の表側周縁にシール部材を介して循環口部材の環状座部を水密状態に圧接させることができる。
【００１３】
更に、請求項２記載の本発明にあっては、仮にボルトから止め部材が外れても、両配管に幅寸法の大きな係止部が引っ掛かるため、脱落することがない。
【００１６】
循環口部材の良好な固定状態を維持できるようにするために請求項３記載の本発明が採用した手段は、浴槽表側から浴槽の開口部に取り付けられる浴槽用循環口セットであって、表側に吐水口及び吸水口を開設すると共に該吐水口及び吸水口に連通する吐水管及び吸水管を裏側へ突設した循環口部材と、該循環口部材の裏側に該吐水管及び吸水管を囲むように形成されている環状座部へ当接する環状シール部材と、該循環口部材の表側で頭部を水密状態に係止できるように循環口部材の表側から環状座部の内側へ貫通する止め付け用ボルトと、該環状座部の内径と同径又は小径となる前記浴槽の開口部を、該ボルトに螺合した状態で潜り抜けることが可能な寸法に形成され且つ前記浴槽の開口部より大径の係止部を設けた止め部材とを備え、前記循環口部材に対する前記ボルトの貫通位置が、前記環状座部の内側の表裏方向へ延びる仮想中心線から偏倚していることを特徴とする浴槽用循環口セットである。
本発明にあっては、ボルトの締付け作業の後に生じた振動等により循環口部材を回転させようとする力が加わっても、循環口部材の回転中心位置からボルトが偏倚しているため、循環口部材が容易に回転することはない。
【００１７】
浴槽の開口部を止め部材が容易に潜り抜けることができるようにするために請求項４記載の本発明が採用した手段は、浴槽表側から浴槽の開口部に取り付けられる浴槽用循環口セットであって、表側に吐水口及び吸水口を開設すると共に該吐水口及び吸水口に連通する吐水管及び吸水管を裏側へ突設した循環口部材と、該循環口部材の裏側に該吐水管及び吸水管を囲むように形成されている環状座部へ当接する環状シール部材と、該循環口部材の表側で頭部を水密状態に係止できるように循環口部材の表側から環状座部の内側へ貫通する止め付け用ボルトと、該環状座部の内径と同径又は小径となる前記浴槽の開口部を、該ボルトに螺合した状態で潜り抜けることが可能な寸法に形成され且つ前記浴槽の開口部より大径の係止部を設けた止め部材とを備え、前記止め部材に対する前記ボルトの螺合位置が、前記止め部材の中心から偏倚していることを特徴とする浴槽用循環口セットである。
本発明にあっては、止め部材のボルト螺合箇所から係止部までの寸法が長い方の部分を、浴槽の開口部へ最初に潜らせることにより、容易に潜り抜けることができる。
【００１８】
浴槽の開口部を止め部材が容易に潜り抜けることができるようにするために請求項５記載の本発明が採用した手段は、浴槽表側から浴槽の開口部に取り付けられる浴槽用循環口セットであって、表側に吐水口及び吸水口を開設すると共に該吐水口及び吸水口に連通する吐水管及び吸水管を裏側へ突設した循環口部材と、該循環口部材の裏側に該吐水管及び吸水管を囲むように形成されている環状座部へ当接する環状シール部材と、該循環口部材の表側で頭部を水密状態に係止できるように循環口部材の表側から環状座部の内側へ貫通する止め付け用ボルトと、該環状座部の内径と同径又は小径となる前記浴槽の開口部を、該ボルトに螺合した状態で潜り抜けることが可能な寸法に形成され且つ前記浴槽の開口部より大径の係止部を設けた止め部材とを備え、前記止め部材が、その中央部を前記循環口部材の表側から裏側に向かって突出するように湾曲形成されていることを特徴とする浴槽用循環口セットである。
本発明にあっては、止め部材が湾曲形成されているので、浴槽の開口部を掬うようにして容易に潜り抜けることができる。
【００２０】
【発明の実施の形態】
以下、本発明を図面に示す実施の形態に基づいて説明する。
【００２１】
（第１の実施の形態）
図１乃至図４は本発明に係る浴槽用取付具の第１の実施形態を示すものであり、図１は浴槽用取付具を用いて行う取付け施工の途中を浴槽裏側から見て部分切欠きした背面図、図２は図１のＸ−Ｘ線における断面図、図３は図１のＹ−Ｙ線における断面図、図４は浴槽用取付具の別態様を用いて行う取付け施工の途中を浴槽裏側から見て部分切欠きした背面図である。
【００２２】
本実施形態の浴槽用取付具１０は、浴槽５の開口部５ａへ浴槽表側Ａから取付け施工できるものであり、浴槽表側Ａに配置される取付具本体１１と、浴槽裏側Ｂに配置される複数個の止め部材１３と、取付具本体１１及び止め部材１３を連結するための連結部材１２とを備え、連結部材１２を緊締するための操作が浴槽表側Ａからできるようになっている。止め部材１３は、取付具本体１１に連結部材１２で連結された状態で浴槽表側Ａから開口部５ａを潜ること及び浴槽裏側Ｂで係止することが可能になっている。
【００２３】
前記取付具本体１１は、浴槽表側Ａに露出する円盤状部１４に、浴槽の湯を循環させるための吐水口１５又は吸水口１６を設けると共に、ボルトからなる連結部材１２を連結するためのボルト用挿通孔１７，１７を設けてある。各挿通孔１７は、挿通した連結部材１２が浴槽５の開口部５ａを貫通できるように設けてある。円盤状部１４は、背面側１４ｂに、吐水口１５又は吸水口１６に連通する銅管，フレキ管又は樹脂管等からなる配管１８，１８を接合してある。更に、円盤状部１４は、背面側１４ｂに環状凹溝１９を設け、この環状凹溝１９にリング状のシール部材２０を装着してある。連結部材１２であるボルトは、シールリング２１を予め外嵌してあり、頭部１２ａと挿通孔１７の段部１７ａとの間にシール部を形成できるようにしてある。
【００２４】
前記各止め部材１３は、扇状部２２の本部側に、連結部材１２であるボルトが螺合する雌ネジ部２３を設けてある。各止め部材１３は、取付具本体１１に対して揺動自在に連結部材１２で連結されると、浴槽５の開口部５ａを挿通するようにして潜ることができる潜り位置Ｄから浴槽５の開口周縁部５ｂの裏面側で係止することができる止め位置Ｅまでの間を、配管１８，１８と緩衝することなく揺動できるようになっている。各止め部材１３は、取付具本体１１と対面する側に、雌ネジ部２３を形成するボス部から揺動規制用ストツパー２４を突設してある。ストツパー２４は、潜り位置Ｄから止め位置Ｅへ揺動させる止め部材１３を所定の止め位置Ｅで停止させるものである。各止め部材１３は、浴槽５の開口部５ａを挿通した潜り位置Ｄの扇状部２２が、連結部材１２であるボルトのねじ込みにより矢符Ｆ方向へ連れ回りすると、浴槽５の開口内周面５ｄにストツパー２４が当接する止め位置Ｅまで揺動することになる。
【００２５】
浴槽用取付具１０は、浴槽５の開口部５ａに対する各止め部材１３の潜り抜けが確実にできるように、潜り位置Ｄの各止め部材１３が自然に揺動しないように工夫されている。例えば、連結部材１２であるボルトを強制的にねじ込まない限り止め部材１３が揺動しないように、ボルト用挿通孔１７及び雌ネジ部２３と連結部材１２であるボルトとの間に、空回り防止用の樹脂リング等を嵌着することである。
【００２６】
前記各止め部材１３は、その形状を扇状に限定するものではなく、図４に示す如く、円弧状のものであってもよい。この場合には、ストツパー２４を設けると共に空回り防止用の樹脂リング等を嵌着することは勿論である。
【００２７】
前記浴槽用取付具１０を施工するための施工手順は、次の如く行われる。第１工程は、浴槽５に開口部５ａをホルソー等で開設することである。既に開口部５ａが有るときには、本工程を省略する。第２工程は、浴槽用取付具１０の取付具本体１１と各止め部材１３とを連結部材１２であるボルトで連結して準備することである。第３工程は、浴槽表側Ａから浴槽５の開口部５ａ及び躯体の開口部（図示略）へ配管１８，１８を挿通して浴槽裏側Ｂへ導くと共に、潜り位置Ｄに停止させた各止め部材１３を浴槽５の開口部５ａへ挿通するようにして潜らせることである。最終工程は、浴槽表側Ａから連結部材１２であるボルトを強制的に回すことにより、各止め部材１３を潜り位置Ｄからストッパー２４で停止する止め位置Ｅまで揺動させ、更にボルト１２を緊締することにより、浴槽５の開口周縁部５ｂを円盤状部１４と各止め部材１３とで挟持して固定する。このとき、浴槽５の開口周縁部５ｂと円盤状部１４との間には挟着されたシール部材２０でシール部が形成されると共に、連結部材１２とボルト用挿通孔１７の段部１７ａとの間に挟圧されたシールリング２１でシール部が形成されることにより、浴槽５の開口部５ａからの漏水を防止できるようになる。
【００２８】
前記本施工構造及び施工方法によれば、増改築するときに、浴槽を撤去することなく、新しい循環口を備えた取付具本体１１を浴槽表側Ａから漏水の無い状態で取付けることができる。更に、前記本施工構造及び施工方法は、従来のユニットバスの浴槽にも勿論適用することができる。
【００２９】
（第２の実施の形態）
図５は本発明に係る浴槽用取付具の第２の実施形態を示す断面した平面図である。本実施形態の浴槽用取付具３０が前記第１の実施形態の浴槽用取付具１０と相違する点は、取付具本体３１に排水口３２を設け、排水口３２に排水栓体３３を着脱できるようにしたことである。この相違点以外の構成は、前記第１の実施形態と実質的に同一であり、浴槽裏側Ｂに配置される複数個の止め部材１３と、取付具本体３１及び止め部材１３を連結するための連結部材１２とを備え、連結部材１２を緊締するための操作が浴槽表側Ａからできるようになっている。
【００３０】
（第３の実施の形態）
図６乃至図８は本発明に係る浴槽用取付具の第３の実施形態を示すものであり、図６は浴槽用取付具を用いて取付け施工した状態を浴槽裏側から見て部分切欠きした背面図、図７は取付け施工の途中を部分断面した平面図、図８は図６のＹ−Ｙ線における断面図である。
【００３１】
本実施形態の浴槽用取付具４０は、浴槽５の開口部５ａへ浴槽表側Ａから取付け施工できるものであり、浴槽表側Ａに配置される取付具本体４１と、浴槽裏側Ｂに配置される止め部材４３と、取付具本体４１及び止め部材４３を連結するための連結部材４２とを備え、連結部材４２を緊締するための操作が浴槽表側Ａからできるようになっている。止め部材４３は、取付具本体４１に連結部材４２で連結された状態で浴槽表側Ａから開口部５ａを潜ること及び浴槽裏側Ｂで係止することが可能になっている。
【００３２】
前記取付具本体４１は、浴槽表側Ａに露出する円盤状部４４に、浴槽の湯を循環させるための吐水口１５又は吸水口１６を設けると共に、吐水口１５又は吸水口１６に連通する配管１８，１８を接合してある。円盤状部４４は、その中心に、連結部材４２を構成するボルト４５を連結するためのボルト挿通孔４６を設けてある。更に、円盤状部４４は、背面側４４ｂに環状凹溝１９を設け、この環状凹溝１９にシール部材２０を装着してある。ボルト４５は、シールリング２１を予め外嵌してあり、頭部４５ａとボルト挿通孔４６の段部４６ａとの間にシール部を形成できるようにしてある。
【００３３】
前記止め部材４３は、両長手側面の中心から突設した枢支軸４３ａ，４３ａを後述する連結部材４２の案内具４７の長孔４７ｂに案内させながら摺動と回動とができるようになっている。止め部材４３は、中央にボルト４５が貫通するための長孔の開口部４３ｂを設けてある。止め部材４３は、浴槽５の開口部５ａを挿通するようにして潜ることができる潜り位置Ｄ（図７参照）から浴槽５の開口周縁部５ｂの裏面側で係止することができる止め位置Ｅ（図６参照）まで、配管１８，１８と緩衝することなく回動及び摺動ができるようになっている。
【００３４】
前記連結部材４２は、円盤状部４４の背面側４４ｂに接合する案内具４７と、止め部材４３を回動及び摺動させるためのボルト４５及びナツト４９とを備えている。案内具４７は、両側片部４７ａ，４７ａに長孔４７ｂ，４７ｂを開設し、両側片部４７ａ，４７ａの間に配置した前記止め部材４３の枢支軸４３ａ，４３ａを長孔４７ｂ，４７ｂで案内するようになっている。ナツト４９は、案内具４７の揺動空間４７ｃに回動しないように配置され、螺合したボル４５の回転により螺進するようになっている。
【００３５】
前記浴槽用取付具４０を施工するための施工方法の手順は、次の如く行われる。第１工程は、浴槽５に開口部５ａをホルソー等で開設することである。既に開口部５ａが有るときには、本工程を省略する。第２工程は、浴槽用取付具４０のナツト４９をボルト４５の先端寄りへ移動させ、止め部材４３が潜り込みが可能な傾斜状態となるように準備することである。第３工程は、浴槽表側Ａから浴槽５の開口部５ａ及び躯体の開口部（図示略）へ配管１８，１８を挿通して浴槽裏側Ｂへ導くと共に、潜り位置Ｄに停止させ傾斜状態の止め部材４３を浴槽５の開口部５ａへ挿通するようにして潜らせることである。
【００３６】
最終工程は、浴槽表側Ａから連結部材４２のボルト４５を強制的にねじ回すことにより、ボルト４５の頭部４５ａ側へ向かって移動するナツト４９で止め部材４３を押圧して、止め部材４３を潜り位置Ｄから取付具本体４７と平行となる止め位置Ｅまで回動させながら摺動させる。更に、ボルト４５を緊締することにより、浴槽５の開口周縁部５ｂを円盤状部４４と止め部材４３とで挟持して固定する。このとき、浴槽５の開口周縁部５ｂと円盤状部４４との間には挟着されたシール部材２０でシール部が形成されると共に、連結部材４２とボルト挿通孔４６の段部４６ａとの間に挟圧されたシールリング２１でシール部が形成されることにより、浴槽５の開口部５ａからの漏水を防止できるようになる。
【００３７】
浴槽用取付具４０は、取付具本体４１に排水口（図示略）を設け、排水口に排水栓体を着脱できるようにすることも可能である。また、浴槽用取付具４０は、取付具本体４１にグリップ取付け部を設け、グリップ取付け部にグリップの連結部を連結できるようにすることも、更にまた、取付具本体４１に遠隔操作用押しボタンを設け、遠隔操作用押しボタンから操作用のケーブルを延設させるようにすることも可能である。
【００３８】
（第４の実施の形態）
図９乃至図１１は本発明に係る浴槽用循環口セット及び該セットを用いた循環口部材の取付構造の第４の実施形態を示すものであり、図９は浴槽用循環口セットを用いた取付け状態を浴槽裏側から見て部分切欠きした背面図、図１０は図９のＸ−Ｘ線における断面図、図１１は取付け途中の状態を示す断面図して平面図である。
【００３９】
本実施形態に係る浴槽用循環口セット５０は、浴槽５の開口部５ａ（例えば、直径が５０ｍｍ程度の孔）に浴槽表側Ａから取り付け施工できるものであり、浴槽表側Ａに主体部が配置される取付具本体となる循環口部材５１と、循環口部材５１の裏側の環状座部１９へ当接する環状のシール部材２０と、浴槽裏側Ｂに配置される止め部材５３と、循環口部材５１及び止め部材５３を連結して止め部材５３を止め付けるための止め付け用ボルト５２とを備え、連結部材５２を緊締するための操作が浴槽表側Ａからできるようになっている。止め部材５３は、循環口部材５１に止め付け用ボルト５２で連結された状態で浴槽表側Ａから開口部５ａを潜り抜けること及び浴槽裏側Ｂで係止することが可能になっている。
【００４０】
前記循環口部材５１は、浴槽表側Ａに露出する円盤状部５４の表側に、浴槽の湯を循環させるための吐水口１５又は吸込口１６を設けると共に、吐水口１５又は吸込口１６に連通して裏側へ突設する吐水管及び吸水管である配管１８，１８を接合してある。配管１８は、銅管，フレキ管又は樹脂管から形成され、必要に応じて、その管端にネジ接合，ろう付け接合またはホースバンド接合等により延長管が接合されることがある。円盤状部５４は、その中心に、連結部材であるボルト５２を連結するためのボルト挿通孔５６を設けてある。更に、円盤状部５４は、背面側５４ｂに配管１８，１８を囲むように環状凹溝状の環状座部１９を設け、この環状座部１９に環状のシール部材２０を予め装着してある。循環口部材５１は、浴槽開口部５ａの開口周縁部５ｂに、環状座部１９及びシール部材２０を介して、圧接させることができるようになっている（図１０参照）。
【００４１】
前記循環口部材５１は、円盤状部５４の裏側で且つ前記環状座部１９の内側に、浴槽開口部５ａに嵌入できる輪状の突起部５７が設けられている。循環口部材５１は、浴槽５に取り付けらたときに、浴槽壁面に沿う方向の外力により位置ズレしょうとしても、浴槽開口部５ａに突起部５７が当接するため、位置ズレすることなく安定よく固定できる。
【００４２】
連結部材となる止め付け用ボルト５２は、シールリング２１を予め外嵌してあり、頭部５２ａとボルト挿通孔５６の段部５６ａとの間にシール部を形成できるようにしてある。ボルト５２は、円盤状部５４の表側で頭部５２ａを水密状態に係止できるように円盤状部５４の表側から環状座部１９の内側へ貫通させるようになっている。ボルト挿通孔５６は、図１１に示す如く、挿通したボルト５２が、止め部材５３の長手方向へ大きく揺動して傾斜できるように大径に開設とすることもある。
【００４３】
前記止め部材５３は、彎曲した板状に形成され、中心に雌ネジ２３を設けてある。止め部材５３は、配管１８，１８の間隙部に位置する括れた連結部５３ｂと、該連結部の両側に連設して該間隙部の外側に位置すると共に該間隙部より幅寸法を大きくした係止部５３ａ，５３ａとを備えている。止め部材５３は、環状座部１９の内径と同径又は小径となる浴槽開口部５ａを、ボルト５２に螺合した状態で潜り抜けることが可能な寸法に形成され且つ係止部５３ａ，５３ａの間隔が浴槽開口部５ａより大径となっている。止め部材５３は、浴槽開口部５ａを挿通するようにして潜ることができる潜り姿勢Ｇ（図１１参照）から浴槽５の開口周縁部５ｂの裏面側で係止することができる係止姿勢Ｈ（図１０参照）となることができるように、循環口部材５１及び連結部材であるボルト５２と共に傾斜できるようになっている。止め部材５３は、湾曲形成されているので、浴槽開口部５ａを掬うようにして容易に潜り抜けることができる。なお、ボルト挿通孔５６を大径としてある場合には、止め部材５３を更に傾斜させて、潜り姿勢Ｇを容易に採ることができ、浴槽５の開口部５ａを掬うようにして潜り抜けることができるようになる。
【００４４】
前記配管１８，１８の間隙部は、循環口部材５１の円盤状部５４の表裏方向の仮想中心線上に位置するようになっている。そのため、前記止め部材５３は、浴槽開口部５ａの周縁を二分する中央位置に係止部５３ａ，５３ａが配置することになり、開口部５ａの周縁部５ｂを幅寸法の大きな係止部５３ａ，５３ａでバランスよく挟みつけることができる。また、止め部材５３は、仮にボルト５２が外れても、両配管１８，１８に幅寸法の大きな係止部５３ａが引っ掛かるため、脱落することがない。
【００４５】
前記浴槽用循環口セット５０を施工するための施工方法の手順は、次の如く行われる。第１工程は、浴槽５に開口部５ａをホルソー等で開設することである。既に開口部５ａが有るときには、本工程を省略する。第２工程は、浴槽用循環口セット５０の止め部材５３をボルト５２の先端寄りへ移動させ、止め部材５３が潜り込みが可能な姿勢が容易に採れるように準備することである。第３工程は、浴槽表側Ａから浴槽開口部５ａ及び躯体の開口部（図示略）へ配管１８，１８を挿通して浴槽裏側Ｂへ導くと共に、潜り姿勢Ｇに傾斜させた止め部材５３を浴槽５の開口部５ａへ挿通するようにして潜らせることである。
【００４６】
最終工程は、連結部材であるボルト５２を強制的にねじ回すことにより、止め部材５３を浴槽５側に引き寄せて、浴槽５の裏面５ｃに止め部材５３の両端の係止部５３ａ，５３ａを圧接させる。このとき、浴槽用循環口セット５０の全体を浴槽表側Ａへ引き寄せて、浴槽５の裏面５ｃに止め部材５３の両端の係止部５３ａ，５３ａを予め当接させ、この状態でボルト５２を強制的にねじ回すことも可能である。そして更に、ボルト５２を緊締することにより、浴槽５の開口周縁部５ｂを円盤状部５４と止め部材５３とで挟持して固定する。このとき、浴槽５の開口周縁部５ｂと円盤状部５４との間には挟着されたシール部材２０でシール部が形成されると共に、連結部材５２とボルト挿通孔５６の段部５６ａとの間に挟圧されたシールリング２１でシール部が形成されることにより、浴槽５の開口部５ａからの漏水を防止できるようになる。このように、前記浴槽用循環口セット５０の施工は、一人の作業者が浴槽表側Ａから容易に施工を行うことができ、施工時間を短縮できるものである。
【００４７】
（第５の実施の形態）
図１２及び図１３は本発明に係る浴槽用循環口セット及び該セットを用いた循環口部材の取付構造の第５の実施形態を示すものであり、図１２は浴槽用循環口セットを用いた取付け状態を示すものであって、（Ａ）は側面断面図、（Ｂ）は浴槽裏側から見た背面図、図１３は取付け途中の状態を部分断面して示す側面図である。
【００４８】
本実施形態に係る浴槽用循環口セット６０が前記第４の実施の形態に係る浴槽用循環口セット５０と大きく相違する所は、循環口部材５１の円盤状部５４に対するボルト５２の貫通位置を、循環口部材５１の環状座部１９の内側の表裏方向へ延びる仮想中心線上Ｋから寸法Ｌだけ偏倚させたこと、更に、止め部材５３に対するボルト５２の螺合位置を、止め部材５３の中心位置（セットが取付けられたときには仮想中心線上Ｋと一致する位置）から寸法Ｌだけ偏倚させたことである。この相違点以外の構成は、浴槽用循環口セット５０と実質的に同一であり、図１２及び図１３において、前記第４の実施の形態の符号と同一の符号は、同一構成部材等を示す。
【００４９】
浴槽用循環口セット６０は、循環口部材５１の仮想中心線Ｋに対してボルト５２を偏倚させることにより、循環口部材５１の良好な固定状態を維持できる。何故ならば、取付け後に生じた振動等により循環口部材５１を回転させようとする力が加わったとしても、循環口部材５１の回転中心位置からボルト５２が偏倚しているため、循環口部材５１を容易に回転させることができないためである。更に、浴槽用循環口セット６０は、止め部材５３の中心位置に対してボルト５２の螺合位置を偏倚させてあるため、止め部材５３のボルト螺合箇所から係止部５３ａまでの寸法が長い方の部分５３ｃ（図１３参照）を、浴槽開口部５ａへ最初に潜らせることにより、容易に潜り抜けることができるようになる。
【００５０】
（その他の実施の形態）
前記取付具本体１１，４１は、浴槽内の湯を追いだき循環できるように、二本の配管１８，１８を接合して吐水口１５及び吸込口１６を設けてあるが、これ限定するものではなく、図示は省略したが、浴槽内に気泡を含んだ湯を噴射させるために１個の吐水口を設けたもの、浴槽用グリツプを接合するための接合部を設けたもの、浴槽の開口縁部に配置するワンヤー式遠隔操作具を接合するための接合部を設けたもの等に置換することも勿論可能である。
【００５１】
図５に示す浴槽用取付具３０の止め部材１３，１３を図９に示す止め部材５３に置換することも可能である。この場合には、図示は省略したが、取付具本体３１の排水口３２の中心位置に、止付け用ボルト５２が挿通するボルト挿通孔５６を設け、ボルト挿通孔５６へ挿通したボルト５２に止め部材５３を螺合する。更に、ボルト５２を回すときに止め部材５３が空回りすることがあるため、取付具本体３１から回転規制部材を突設して、空回りを防止させるように構成することもある。該回転規制部材は、止め部材５３を貫通することも、止め部材５３の外側に位置することもある。
【００５２】
前記実施の形態は、浴槽開口部５ａに対する装着を、浴槽表側Ａからできるようにしてある。これは、浴槽を撤去することなく増改築するときであって、浴槽裏側Ｂから新しい止め部材を装着できないときに適用できる。しかし、増改築するときであっても、浴槽裏側Ｂから新しい止め部材を装着できる場合や新規に浴槽を設置する場合には、浴槽開口部５ａに対する止め部材を浴槽裏側Ｂから装着できる施工手順または施工構造とすることも可能である。
【００５５】
【発明の効果】
請求項１記載の本発明に係る浴槽用取付具は、回転規制部材により止め具の回り止めが良好に行われるため、締付作業が容易なものとなる。
【００５６】
請求項２記載の本発明に係る浴槽用循環口セットは、浴槽表側から循環口部材を取付け施工できるため、循環口部材の固定作業が容易ものとなり、施工の短縮を図ることができる。
更に、請求項２記載の本発明に係る浴槽用循環口セットは、ボルトから止め部材が外れても、止め部材が脱落しないため、施工能率の向上を図ることができる。
【００５８】
請求項３記載の本発明に係る浴槽用循環口セットは、取付け後の循環口部材が容易に回転できないことから、循環口部材の良好な固定状態を維持できる。
請求項４記載の本発明に係る浴槽用循環口セットは、止め部材のボルト螺合箇所から係止部までの寸法が長い方の部分を、浴槽の開口部へ最初に潜らせることにより、止め部材が容易に潜り抜けることができるので、施工能率の向上が図れる。
【００５９】
請求項５記載の本発明に係る浴槽用循環口セットは、浴槽の開口部へ止め部材が容易に潜り抜けることができるので、施工能率の向上が図れる。
【図面の簡単な説明】
【図１】本発明の第１の実施形態を示すものであり、浴槽用取付具を用いて行う取付け施工の途中を浴槽裏側から見て部分切欠きした背面図。
【図２】図１のＸ−Ｘ線における断面図。
【図３】図１のＹ−Ｙ線における断面図。
【図４】浴槽用取付具の別態様を用いて行う取付け施工の途中を浴槽裏側から見て部分切欠きした背面図。
【図５】本発明の第２の実施形態を示す断面した平面図。
【図６】本発明の第３の実施形態を示すものであり、本浴槽用取付具を用いて取付け施工した状態を浴槽裏側から見て部分切欠きした背面図。
【図７】同実施の形態における取付け施工の途中を部分断面した平面図。
【図８】図６のＹ−Ｙ線における断面図。
【図９】本発明の第４の実施形態を示すものであり、浴槽用循環口セットを用いた取付け状態を浴槽裏側から見て部分切欠きした背面図。
【図１０】図９のＸ−Ｘ線における断面図。
【図１１】同実施の形態における取付け途中の状態を示す断面図した平面図。
【図１２】本発明の第５の実施形態における浴槽用循環口セットを用いた取付け状態を示すものであって、（Ａ）は側面断面図、（Ｂ）は浴槽裏側から見た背面図。
【図１３】同実施の形態における取付け途中の状態を部分断面して示す側面図。
【図１４】従来のアダプターの施工方法を示すものであって、同図（Ａ）は躯体の外側から浴槽の開口部に治具の掛け部を引っ掛ける状態を示すものであり、同図（Ｂ）は浴槽表側でアダプターの配管付本体にアダプターの口部を螺着させる直前の状態を示すものである。
【符号の説明】
Ａ…浴槽表側、Ｂ…浴槽裏側、５…浴槽、５ａ…開口部、５ｂ…周縁部、１１（３１，４１）…取付具本体、１２（４２，５２）…連結部材、１３（４３，５３）…止め部材、５３ａ…係止部、５３ｂ…連結部、５１…循環口部材、５７…突起部
【図１】
0003981786.tif 000002
【図２】
0003981786.tif 000003
【図３】
0003981786.tif 000004
【図４】
0003981786.tif 000005
【図５】
0003981786.tif 000006
【図６】
0003981786.tif 000007
【図７】
0003981786.tif 000008
【図８】
0003981786.tif 000009
【図９】
0003981786.tif 000010
【図１０】
0003981786.tif 000011
【図１１】
0003981786.tif 000012
【図１２】
0003981786.tif 000013
【図１３】
0003981786.tif 000014
【図１４】
0003981786.tif 000015